(57)【要約】      （修正有）【課題】メガネのフロント部両側に取付けたツルが何時までもガタ付くことなく折畳み操作が出来るツル継手構造を提供する。【解決手段】フロント部の両側に設けたヨロイ４，４は間に空間を設けて上ヨロイ片８と下ヨロイ片９を有し、この上・下ヨロイ片には継手部材７を挟んで取付け、継手部材７は互いに並行な上嵌合片と下嵌合片を角形断面の軸１６にて連結し、そしてツル端部から概略Ｕ形の継手バネを延ばすと共に角形断面の軸穴を形成し、この軸穴に上記角形断面軸１６を嵌めてツルを該継手部材７に取付けている。【選択図】図６
0003168861.tif 000002
【実用新案登録請求の範囲】
【請求項１】
メガネのフロント部両側に折畳み出来るようにツルを取付ける継手構造において、フロント部の両側に設けたヨロイは間に空間を設けて上ヨロイ片と下ヨロイ片を有し、この上・下ヨロイ片には継手部材を挟んで取付け、継手部材は互いに並行な上嵌合片と下嵌合片を角形断面の軸にて連結し、そしてツル端部から概略Ｕ形の継手バネを延ばすと共に角形断面の軸穴を形成し、この軸穴に上記角形断面軸を嵌めてツルを該継手部材に取付けたことを特徴とするメガネフレームのツル継手構造。
【請求項２】
上記継手部材の端部に、ツルを開いた際に継手バネ先端が当接するストッパーを設けた請求項１記載のメガネフレームのツル継手構造。
【請求項３】
メガネのフロント部両側に折畳み出来るようにツルを取付ける継手構造において、ツル端部には間に空間を設けて上ツル片と下ツル片を有し、この上・下ツル片には継手部材を挟んで取付け、継手部材は互いに平行な上嵌合片と下嵌合片を角形断面の軸にて連結し、そしてヨロイ端部から概略Ｕ形の継手バネを延ばすと共に角形断面の軸穴を形成し、この軸穴に上記角形断面軸を嵌めてツルを該継手部材を介して折畳み出来るように取付けたことを特徴とするメガネフレームのツル継手構造。
【請求項４】
メガネのフロント部両側に折畳み出来るようにツルを取付けることができる継手部材において、該継手部材は互いに平行を成す上嵌合片と下嵌合片を有し、上・下嵌合片は角形断面の軸を介して連結され、この継手部材はヨロイに設けた上ヨロイ片及び下ヨロイ片の間に挟んで取付け、そして、上記角形断面の軸にはツル端から延びる概略Ｕ形の継手バネに形成した軸穴を嵌めて取付けることを特徴とするツル継手部材。
【請求項５】
メガネのフロント部両側に折畳み出来るようにツルを取付けることができる継手部材において、該継手部材は互いに平行を成す上嵌合片と下嵌合片を有し、上・下嵌合片は角形断面の軸を介して連結され、この継手部材はツル端部に設けた上ツル片及び下ツル片の間に挟んで取付け、そして、上記角形断面の軸にはヨロイ端から延びる概略Ｕ形の継手バネに形成した軸穴を嵌めて取付けることを特徴とするツル継手部材。
【請求項６】
角形断面の軸には金属製パイプを嵌めた請求項４、又は請求項５記載のツル継手部材。
【請求項７】
上嵌合片の下面先端と下嵌合片の上面先端にストッパーを形成した請求項４、請求項５、又は請求項６記載のツル継手部材。
【請求項８】
上嵌合片の上面先端と下嵌合片の下面先端に係合片を突出して形成した請求項４、請求項５、請求項６、又は請求項７記載のツル継手部材。
【考案の詳細な説明】
【技術分野】
【０００１】
本考案はメガネのフロント部両サイドに取付けてツルが何時までもガタ付くことなく折畳み出来るように連結した簡単なツル継手構造及び交換可能なツル継手部材に関するものである。
【背景技術】
【０００２】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルを連結している蝶番は非常に小さくなっていて、長いツルを支えるには大きな負担がかかる。従って、開閉操作に伴って蝶番の摺動面は摩耗し、ツルはガタ付きを生じて掛けているメガネが位置ズレするなど安定性が損われる。また、蝶番はツルとフロン部のヨロイにロウ付けされる蝶片を有し、この両蝶片は軸ネジを介して揺動出来るように連結しているが、ツルの開閉操作に伴って弛みを発生する。
【０００３】
特に近年のメガネフレームは軽くてバネ性に優れた材質が好まれる為に、この要求を満たす材質としてチタン材が多用されている。そして、蝶番もチタン製とされる場合が多く、このチタン製蝶番ではその摺動面の摩耗が特に著しい。そしてチタン製蝶番では切削加工された摺動面が鋳物のように微細な凹凸面となっていて、すなわち滑らかな面でないことから、ツルの折畳み操作に際してキシミを発生し、滑らかな折畳み操作が出来ない。これは滑らかな摺動が得られない為である。
【０００４】
そこで、従来ではこの小さな蝶番の摺動面にワッシャを介在することで滑らかな摺動をもたらし、磨耗を防止する対策が講じられている。特開２００４−１３８７１８号に係る「メガネフレームのツル折畳み継手及び蝶番並びにワッシャ」は、互いに噛み合う一方の蝶片コマの軸穴にワッシャの筒部を嵌入し、該筒部に別のワッシャの筒部を嵌めて他方の蝶片コマと軸ネジを介して組み付けしている。しかし、小さな蝶番にさらに小さなワッシャを取付けて組付ける作業は容易でなく、生産性が悪くなる。勿論、製作コストは高く成ってしまう。
【０００５】
また、特開２００２−２０７１９８に係る「メガネフレームのツル継手構造」は、ヨロイ先端には軸受けを備えると共に軸受けの軸穴には円形ツバを形成した軸を回転可能に嵌め、そして軸にはツルを連結して軸穴から外側に貫通したスライド溝に沿ってツルは開閉することが出来、スライド溝を形成するガイド片の一部にはツルが挿通する大きさの切欠き部を有し、そして軸部の外周面には押圧部を当接してバネ力を付勢した構造となっている。従って、ツルは折畳み操作に際してガタ付くことはないが、しかし構造が複雑になり、コストは必然的に高く成ってしまう。
【０００６】
【特許文献１】特開２００４−１３８７１８号に係る「メガネフレームのツル折畳み継手及び蝶番並びにワッシャ」
【特許文献２】特開２００２−２０７１９８に係る「メガネフレームのツル継手構造」
【考案の開示】
【考案が解決しようとする課題】
【０００７】
このように、従来のツル継手構造には上記のごとき問題がある。本考案が解決しようとする課題はこれら問題点であり、極めて簡単な構造であってネジを用いることなく組立て作業が容易であると共に組付けコストも安くなり、さらにツルが何時までもガタ付くことなく安定した折畳み操作を持続することが出来るメガネフレームのツル継手構造及び交換出来るツル継手部材を提供する。
【課題を解決するための手段】
【０００８】
本考案に係るツル継手構造では、ツル継手部材を介してツルが折畳み出来るように取付けられる。ツル継手部材は所定の間隔をおいて互いに平行を成す上嵌合片と下嵌合片を有し、この上下嵌合片は角形断面の軸によって連結している。そして、上嵌合片及び下嵌合片の端部内側にはストッパーを突出し、上嵌合片及び下嵌合片の端部外側には係合片を突出して設けられている。
【０００９】
そして、フロント部両側にはヨロイが設けられ、該ヨロイは間に空間を設けて上ヨロイ片と下ヨロイ片を延ばしている。上ヨロイ片の下面及び下ヨロイ片の上面にはガイドが形成され、しかもガイドの奥には係合溝を設け、上記ツル継手部材は上ヨロイ片と下ヨロイ片に形成したガイドに嵌って取付けられる。すなわち、上嵌合片は上ヨロイ片のガイドに嵌り、下嵌合片は下ヨロイ片のガイドに嵌る。しかも、上・下ガイドに嵌った上嵌合片と下嵌合片が外れないように、端部に突出して設けた係合片は係合溝に係合することが出来る。
【００１０】
一方、ツルの端部から概略Ｕ形の継手バネが延び、該継手バネには軸穴が形成されている。この軸穴の形状はツル継手部材の角形断面の軸が嵌るように同じ角数の角形の軸穴と成っており、上記ヨロイに取付けた継手部材の軸に軸穴が嵌るように継手バネを取付け、ツルは軸を中心に揺動して折畳まれる。しかも軸は角形断面である為に折畳まれたツルは定位置に安定し、同じく開いたツルは安定する。
【００１１】
一方、ツル継手部材をツル側に取付け、ヨロイ側から概略Ｕ形の継手バネを延ばして設けることも出来る。すなわち、ツル端部に空間を設けて上ツル片と下ツル片を延ばし、上ツル片の下面及び下ツル片の上面にはガイドを形成している。このガイドにツル継手部材の上嵌合片と下嵌合片が嵌り、ヨロイから延びる継手バネに形成した軸穴にツル継手部材の軸が嵌ることでツルは折畳み出来るように取付けられる。
【考案の効果】
【００１２】
本考案のツル継手構造では、フロント部から延びる上ヨロイ片と下ヨロイ片に継手部材を挟んで取付け、この継手部材に設けた角形断面軸にツル端部から延びる概略Ｕ形継手バネに形成した軸穴を嵌めて取付けた構造と成っている。ここで、継手部材は上ヨロイ片と下ヨロイ片に形成したガイドに嵌めることで取付けることが出来、取付けた継手部材の軸にツルの継手バネを連結することでツルが簡単に取付けられる。
【００１３】
本考案でツルの取付けにネジを用いない為に、ツルの折畳み操作に伴う軸ネジの弛みはなく、ツルがガタつくこともない。ツルから延びる概略Ｕ形の継手バネは角形断面軸をバネ力を付勢した状態で挟み込むことが出来、その為に樹脂製の比較的重いツルであっても安定する。そして、継手部材の軸が摩耗した場合にはヨロイから取外して交換することも可能である。
【００１４】
継手部材の軸は四角形などの角形断面を成している為に、ツルは折畳んだ状態で安定し、同じく開いた状態でも安定する。そして、開いた状態から外方向へ押し開く場合には概略Ｕ形の継手バネの角形断面軸穴が変形することで元の位置に押戻すバネ力が作用し、従来のバネ蝶番としても機能することが出来る。一方、ツル側に継手部材を取付けることも可能であり、その作用効果はヨロイ側に取付けた場合と同じである。
【図面の簡単な説明】
【００１５】
【図１】本考案に係るツル継手構造を備えたメガネで、（ａ）は平面図、（ｂ）は正面図を示している。
【図２】本考案に係るツル継手構造を備えたメガネの側面図を示している。
【図３】フロント部のヨロイを示す詳細図。
【図４】ヨロイに取付ける継手部材を示す具体例。
【図５】ツル端から延びる継手バネ。
【図６】フロント部のヨロイに継手部材を取付けた場合。
【図７】（ａ）はツルが開いた場合、（ｂ）はツルが折畳まれた場合。
【考案を実施するための形態】
【００１６】
図１、図２は本考案に係るツル継手構造を備えたメガネを示す実施例である。同図の１はフロント部、２はツルを表し、該フロント部１にはレンズ３，３が取付けられている。フロント部１には中央の連結部５の両側へハーフリム６，６を湾曲して延ばし、このハーフリム６，６の内周に沿って形成した溝にレンズ３，３の上部外周縁を嵌めると共に、下側は水糸などの高張力糸にて支持している。
【００１７】
ただし、本考案はツルの継手構造に関するものであり、フロント部１の形態は同図に示す場合に限定はしない。従って、レンズ３，３が嵌るリング状のリムを設けることもある。そして、フロント部１の両側にはＬ形に湾曲して延びるヨロイ４，４が設けられ、このヨロイ４，４に本考案の継手部材７，７を介してツル２，２が折畳み出来るように取付けられている。
【００１８】
図３はフロント部１の両側に設けているヨロイ４の詳細図を表している。ヨロイ４は互いに平行に延びる上ヨロイ片８と下ヨロイ片９を有し、上ヨロイ片８と下ヨロイ片９との間には空間１０を形成している。そして上ヨロイ片８の下面１１及び下ヨロイ片９の上面１２には一定幅のガイド溝１３，１３が設けられ、ガイド溝１３，１３の奥には係合溝２４，２４を有している。
【００１９】
図４はツル２を連結する為の継手部材７を示す具体例であり、該継手部材７は互いに平行を成す上嵌合片１４と下嵌合片１５を有し、上・下嵌合片１４，１５は軸１６にて連結している。継手部材７の製作方法は特に限定しないが、図４（ａ）に示すように、組立ての利便性を考慮して下嵌合片１５から軸１６を起立した部材を成形し、軸１６の上端に上嵌合片１４を載せて連結することが出来る。該継手部材７は一般に樹脂製であるが、軸１６は金属製パイプ（例えばステンレスパイプ）を嵌めた構造とし、しかも該軸１６は正方形断面と成っている。
【００２０】
上嵌合片１４の先端部下面にはストッパー１７が設けられ、同じく下嵌合片１５の先端部上面にもストッパー１７を形成している。しかも、上嵌合片１４の先端上面１８には係合片１９が突出して形成され、同じく下嵌合片１５の下面２０の先端にも係合片１９を形成している。この継手部材７は上記ヨロイ４の上ヨロイ片８と下ヨロイ片９に形成したガイド溝１３，１３に嵌って取付けられる。
【００２１】
図５はツル２の端部を表している具体例であり、樹脂製のツル２に埋着された芯金２０が端部から延びて継手バネ２１を形成している。該継手バネ２１はその形状を概略Ｕ形とし、軸穴２２を形成している。そして、この軸穴２２に継手部材７の軸１６が嵌って取付けられ、しかも軸穴２２は上記軸１６の断面と同じく正方形と成っている為に、軸１６を中心として旋回して折畳まれるツル２は安定することに成る。すなわち、軸穴２２に軸１６が嵌ることで該軸穴２２は拡大し、軸１６を挟み込むバネ力が付勢される。
【００２２】
図６はヨロイ４に継手部材７を取付けた状態を表している。継手部材７の上嵌合片１４及び下嵌合片１５は上ヨロイ片８及び下ヨロイ片９のガイド溝１３,１３に嵌り、また上嵌合片１４と下嵌合片１５に先端に形成した係合片１９，１９がガイド溝１３，１３の奥に形成した係合溝２４,２４に係合することで外れないように止着される。
【００２３】
継手部材７がヨロイ４に嵌って取付けられることで上・下ヨロイ片８，９は軸１６にて連結され、また、ストッパー１７，１７がコーナー部に配置される。図７はツル２をヨロイ４に取付けた継手部材７に連結した場合を示している。ツル２から延びる継手バネ２１は概略Ｕ形を成し、該継手バネ２１に形成した正方形の軸穴２２に正方形断面の軸１６が嵌っている。該軸１６は継手バネ２１の先端を押し開いて軸穴２２を多少拡大するように嵌ることで、軸１６には継手バネ２１にて挟み込まれるバネ力が付勢される。
【００２４】
図７（ａ）はツル２が開いている場合であり、継手バネ２１の先端はストッパー１７に当接してツル２の開き度は規制される。この場合、ツル２が開いた状態でストッパー１７との間に僅かな隙間を残すならば、ツル２を外方向へ僅かに押し広げることが出来、バネ蝶番と同じように機能する。すなわち、ツル２が外方向へ押し開くならば、正方形断面の軸１６によって継手バネ２１の軸穴２２は拡大する為に、その反力としてのバネ力がツル２を押戻すように作用することが出来る。ただし、継手バネ２１の先端がストッパー１７に当接した場合であっても、該継手バネ２１が撓み変形することでバネ蝶番と同じように機能することも可能である。
【００２５】
（ｂ）はツル２が折畳まれた状態を示している。ツル２が折畳まれる場合、継手バネ２１の軸穴２２は一旦拡大するが、折畳まれた位置では元の軸穴２２の大きさに戻されて安定する。継手部材７の上嵌合片１４の下面、及び下嵌合片１５の上面には円形で薄い座２３，２３が形成され、ツル２の折畳み操作時には継手バネ２１は両座２３，２３に接して滑らかに回転摺動することが出来る。
【００２６】
ところで、上記実施例は継手部材７をヨロイ側に取付け、この継手部材７の軸１６をツル２から延びる継手バネ２１の軸穴２２に嵌めると共にバネ力を付勢して挟み込んだ構造である。本考案はこの継手部材７をツル側に取付けることも可能である。そこで、ツル端部には間に空間を設けて上ツル片と下ツル片を延ばし、この上・下ツル片の間に継手部材７を嵌合する。
【００２７】
具体的な取付け構造は、前記実施例と共通する為に詳細な説明は省略する。そして、ヨロイ側には概略Ｕ形の継手バネを取付け、この継手バネに形成した角形断面の軸穴に上記継手部材の角形断面軸を嵌めて連結する。そこで、継手部材を取付けたツル２は、ヨロイ４の継手バネの軸穴に嵌った継手部材の軸を中心として旋回して折畳まれる。
【符号の説明】
【００２８】
１  フロント部
２  ツル
３  レンズ
４  ヨロイ
５  連結部
６  ハーフリム
７  継手部材
８  上ヨロイ片
９  下ヨロイ片
10  空間
11  下面
12  上面
13  ガイド溝
14  上嵌合片
15  下嵌合片
16  軸
17  ストッパー
18  上面
19  係合片
20  下面
21  継手バネ
22  軸穴
23  座
24  係合溝
【図１】
0003168861.tif 000003
【図２】
0003168861.tif 000004
【図３】
0003168861.tif 000005
【図４】
0003168861.tif 000006
【図５】
0003168861.tif 000007
【図６】
0003168861.tif 000008
【図７】
0003168861.tif 000009